(57)【要約】【課題】  読取位置における異常が検知された場合に所定のガイダンスを行う原稿読取装置において、ユーザーの希望に応じて、ガイダンスが行われる頻度を調節できるようにすることにある。【解決手段】  この画像形成装置１において、第１カウント手段１５ｂは、異常回数ｎをカウントするとともに、異常回数ｎが所定回数Ｎに達した場合に、カウントされた異常回数ｎをリセットする。ガイダンス手段１７ａは、異常回数ｎが所定回数Ｎに達した場合に、コンタクトガラス１１ａの清掃を促すガイダンス画面を表示させる。設定手段１７ｂは、原稿読取手段１３ａにより正常に連続して行われた読取回数ｋの最大値として正常読取回数Ｋを設定可能である。第２カウント手段１５ｃは、読取回数ｋをカウントするとともに、読取回数ｋが正常読取回数Ｋに達した場合に、カウントされた読取回数ｋをリセットする。【選択図】      図５
2006311336.tif 000002
【特許請求の範囲】
【請求項１】
副走査方向に並んで配置された複数の読取位置のいずれかにおいて停止した状態で原稿を読取可能な原稿読取手段と、
前記原稿読取手段が停止した前記読取位置における異常を検知可能な異常検知手段と、
前記異常検知手段により異常が検知された場合に、前記読取位置を切り替える読取位置切替手段と、
前記異常検知手段により検知された異常回数をカウントするとともに、前記異常回数が所定回数に達した場合に、カウントされた前記異常回数をリセットする第１カウント手段と、
前記異常回数が所定回数に達した場合に、異常の除去を促すガイダンスを行うガイダンス手段と、
前記原稿読取手段により正常に連続して行われた読取回数の最大値として正常読取回数を設定可能な設定手段と、
前記読取回数をカウントするとともに、前記読取回数が前記正常読取回数に達した場合に、カウントされた前記読取回数をリセットする第２カウント手段と、
を備えた原稿読取装置。
【請求項２】
副走査方向に並んで配置された複数の読取位置のいずれかにおいて停止した状態で原稿を読取可能な原稿読取手段と、
前記原稿読取手段が停止した前記読取位置における異常を所定の閾値に基づいて検知可能な異常検知手段と、
前記異常検知手段により異常が検知された場合に、前記読取位置を切り替える読取位置切替手段と、
前記異常検知手段により検知された異常回数をカウントするとともに、前記異常回数が所定回数に達した場合に、カウントされた前記異常回数をリセットする第１カウント手段と、
前記異常回数が所定回数に達した場合に、異常の除去を促すガイダンスを行うガイダンス手段と、
前記閾値を設定可能な設定手段と、
を備えた原稿読取装置。
【請求項３】
前記異常検知手段は、所定の閾値に基づいて異常を検知可能であり、
前記設定手段は、前記閾値をさらに設定可能である、
請求項１に記載の原稿読取装置。
【請求項４】
前記ガイダンス手段は、前記設定手段において前記正常読取回数が設定変更された結果前記読取回数が前記正常読取回数を超えた場合は、前記ガイダンスを行わない、請求項１又は３に記載の原稿読取装置。
【請求項５】
請求項１から４のいずれか１項に記載の原稿読取装置と、
前記原稿読取装置で読み取られた原稿の画像情報に基づいて画像形成を行う画像形成手段と、
を備えた画像形成装置。
【請求項６】
副走査方向に並んで配置された複数の読取位置のいずれかにおいて停止した状態で原稿を読取可能な原稿読取手段により原稿の読取を行う原稿読取ステップと、
前記原稿読取手段が停止した前記読取位置における異常を検知する異常検知ステップと、
前記異常検知ステップにおいて異常が検知された場合に、前記読取位置を切り替える読取位置切替ステップと、
前記異常検知ステップにおいて検知された異常回数をカウントするとともに、前記異常回数が所定回数に達した場合に、カウントされた前記異常回数をリセットする第１カウントステップと、
前記異常回数が所定回数に達した場合に、異常の除去を促すガイダンスを行うガイダンスステップと、
前記原稿読取手段により正常に連続して行われた読取回数の最大値として正常読取回数を設定する設定ステップと、
前記読取回数をカウントするとともに、前記読取回数が前記正常読取回数に達した場合に、カウントされた前記読取回数をリセットする第２カウントステップと、
とを含む原稿読取方法。
【請求項７】
副走査方向に並んで配置された複数の読取位置のいずれかにおいて停止した状態で原稿を読取可能な原稿読取手段により原稿の読み取りを行う原稿読取ステップと、
前記原稿読取手段が停止した前記読取位置における異常を所定の閾値に基づいて検知する異常検知ステップと、
前記異常検知ステップにおいて異常が検知された場合に、前記読取位置を切り替える読取位置切替ステップと、
前記異常検知ステップにおいて検知された異常回数をカウントするとともに、前記異常回数が所定回数に達した場合に、カウントされた前記異常回数をリセットする第１カウントステップと、
前記異常回数が所定回数に達した場合に、異常の除去を促すガイダンスを行うガイダンスステップと、
前記閾値を設定する設定ステップと、
とを含む原稿読取方法。
【発明の詳細な説明】
【技術分野】
【０００１】
本発明は、原稿読取装置、画像形成装置、及び原稿読取方法に関する。
【背景技術】
【０００２】
従来の画像形成装置において、例えば、ＡＤＦ（Automatic Document Feeder）を備えた複写機は、一般に、ＣＣＤ等で構成された原稿読取手段と、ＡＤＦと原稿読取手段との間に、主走査方向に延びて配置されたコンタクトガラスとを備えている。この種の装置では、コンタクトガラス上の所定の読取位置の下方に原稿読取手段が停止し、原稿が副走査方向に搬送されることで読取が行われる。
【０００３】
従来のこの種の装置では、コントガラス上にほこり、ごみ等の異物が付着して、印刷物において副走査方向に延びる黒筋が形成されてしまうおそれがある。そこで、かかる事態を回避すべく、ユーザーに対しコンタクトガラスの清掃を促すためのガイダンス表示を、所定のタイミングで行う技術が既に提案されている。
【０００４】
この技術では、コンタクトガラス上に副走査方向に複数の読取位置が並んで配置され、コンタクトガラス上の異物が検知されると、読取位置が順に切り替わるとともに、異物が所定回数（読取位置の数と同数）検知されると、読取位置が最初の読取位置に戻り、操作パネルの表示部にガイダンス表示される。
【０００５】
なお、関連する技術として、例えば、特許文献１及び２に示されるものが既に提案されている。
【特許文献１】特開２００２−１８５７０６号公報
【特許文献２】特開２００２−２５０９７７号公報
【発明の開示】
【発明が解決しようとする課題】
【０００６】
しかしながら、上記従来の技術では、例えば、何百枚、何千枚といった多枚数の原稿の読み取りを行った場合には、異物が検知される可能性が高くなるので、全ての読み取りが終わるまでに異物が所定回数検知された結果ガイダンス表示がなされ、これにより、読取動作が中断してしまうおそれがある。
【０００７】
本発明の目的は、読取位置における異常が検知された場合に所定のガイダンスを行う原稿読取装置において、ユーザーの希望に応じて、ガイダンスが行われる頻度を調節できるようにすることにある。
【課題を解決するための手段】
【０００８】
請求項１に係る原稿読取装置は、原稿読取手段と、異常検知手段と、読取位置切替手段と、第１カウント手段と、ガイダンス手段と、設定手段と、第２カウント手段とを備えている。原稿読取手段は、副走査方向に並んで配置された複数の読取位置のいずれかにおいて停止した状態で原稿を読取可能である。異常検知手段は、原稿読取手段が停止した読取位置における異常を検知可能である。読取位置切替手段は、異常検知手段により異常が検知された場合に、読取位置を切り替える。第１カウント手段は、異常検知手段により検知された異常回数をカウントするとともに、異常回数が所定回数に達した場合に、カウントされた異常回数をリセットする。ガイダンス手段は、異常回数が所定回数に達した場合に、異常の除去を促すガイダンスを行う。設定手段は、原稿読取手段により正常に連続して行われた読取回数の最大値として正常読取回数を設定可能である。第２カウント手段は、読取回数をカウントするとともに、読取回数が正常読取回数に達した場合に、カウントされた読取回数をリセットする。
【０００９】
この装置では、異常が所定回数検知された場合は、異常の除去を促すガイダンスが行われるが、予め設定手段において、例えば、正常読取回数を小さめに設定しておくと、ある程度の回数正常の読み取りが連続して行われれば、異常回数がリセットされるので、数百枚、数千枚もの多枚数の原稿の読み取りを行うような場合に、異常の除去のガイダンスがされにくくなる。
【００１０】
このように、ユーザーは、希望に応じた設定を行って、異常の除去のガイダンスに優先させて原稿の読み取りを行わせたり、異常の除去のガイダンスを優先して行わせたりすることができる。
【００１１】
なお、本発明において、異常としては、例えば、印刷物の副走査方向に黒筋が記録されるような状態、例えば、コンタクトガラス上にほこり、ごみ等の異物（他にコンタクトガラスに付着したインク、修正液）が存在する状態が挙げられる。一方、正常としては、そのような異常が検知されない状態が挙げられる。
【００１２】
閾値は、異常を検知すべきか否かの判断基準となる値であり、例えば、異物を検知する場合におけるその異物の濃度が挙げられる。
【００１３】
ガイダンス手段によるガイダンスの態様としては、所定の表示部分への表示、スピーカ等からの報知音、外部に接続されたパーソナルコンピュータ（以下、ＰＣ）へのメール送信等が挙げられる。
【００１４】
請求項２に係る原稿読取装置は、原稿読取手段と、異常検知手段と、読取位置切替手段と、第１カウント手段と、ガイダンス手段と、設定手段とを備えている。原稿読取手段は、副走査方向に並んで配置された複数の読取位置のいずれかにおいて停止した状態で原稿を読取可能である。異常検知手段は、原稿読取手段が停止した読取位置における異常を所定の閾値に基づいて検知可能である。読取位置切替手段は、異常検知手段により異常が検知された場合に、読取位置を切り替える。第１カウント手段は、異常検知手段により検知された異常回数をカウントするとともに、異常回数が所定回数に達した場合に、カウントされた異常回数をリセットする。ガイダンス手段は、異常回数が所定回数に達した場合に、異常の除去を促すガイダンスを行う。設定手段は、閾値を設定可能である。
【００１５】
この装置では、予め設定手段において、例えば、閾値を小さめに設定しておくと、直接的に異常の検知回数を少なくすることができ、異常の除去のガイダンスがされにくくなるので、ここでも、ユーザーは、希望に応じた設定を行って、異常の除去のガイダンスに優先させて原稿の読み取りを行わせたり、異常の除去のガイダンスを優先して行わせたりすることができる。
【００１６】
請求項３に係る原稿読取装置は、請求項１の装置において、異常検知手段は、所定の閾値に基づいて異常を検知可能である。また、設定手段は、閾値をさらに設定可能である。
【００１７】
この装置では、正常読取回数及び閾値の両方を設定可能であることから、よりユーザーの希望を反映させたタイミングでガイダンスを行わせることができる。
【００１８】
請求項４に係る原稿読取装置は、請求項１又は３に記載の装置において、ガイダンス手段は、設定手段において正常読取回数が設定変更された結果読取回数が正常読取回数を超えた場合は、ガイダンスを行わない。
【００１９】
この装置では、例えば、正常読取回数がより小さい値に変更された結果、現在の読取回数が正常読取回数を超えてしまうことになるような場合であっても、ガイダンスが行われないのでそのまま読取を続けることができる。
【００２０】
請求項５に係る画像形成装置は、請求項１から４のいずれか１項に記載の原稿読取装置と、画像形成手段とを備えている。画像形成手段は、原稿読取装置で読み取られた原稿の画像情報に基づいて画像形成を行う。
【００２１】
この装置では、例えば印刷物に黒筋が出てしまうような異常に対して、ユーザーの希望に応じて、ガイダンスがされ易くしたりされ難くしたりすることができる。
【００２２】
請求項６に係る原稿読取方法は、原稿読取ステップと、異常検知ステップと、読取位置切替ステップと、第１カウントステップと、ガイダンスステップと、設定ステップと、第２カウントステップとを含む。原稿読取ステップでは、副走査方向に並んで配置された複数の読取位置のいずれかにおいて停止した状態で原稿を読取可能な原稿読取手段により原稿の読取を行う。異常検知ステップでは、原稿読取手段が停止した読取位置における異常を検知する。読取位置切替ステップでは、異常検知ステップにおいて異常が検知された場合に、読取位置を切り替える。第１カウントステップでは、異常検知ステップにおいて検知された異常回数をカウントするとともに、異常回数が所定回数に達した場合に、カウントされた異常回数をリセットする。ガイダンスステップでは、異常回数が所定回数に達した場合に、異常の除去を促すガイダンスを行う。設定ステップでは、原稿読取手段により正常に連続して行われた読取回数の最大値として正常読取回数を設定する。第２カウントステップでは、読取回数をカウントするとともに、読取回数が正常読取回数に達した場合に、カウントされた読取回数をリセットする。
【００２３】
この方法によれば、請求項１の装置と同様の効果が得られる。
【００２４】
請求項７に係る原稿読取方法は、原稿読取ステップと、異常検知ステップと、読取位置切替ステップと、第１カウントステップと、ガイダンスステップと、設定ステップととを含む。原稿読取ステップでは、副走査方向に並んで配置された複数の読取位置のいずれかにおいて停止した状態で原稿を読取可能な原稿読取手段により原稿の読み取りを行う。異常検知ステップでは、原稿読取手段が停止した読取位置における異常を所定の閾値に基づいて検知する。読取位置切替ステップでは、異常検知ステップにおいて異常が検知された場合に、読取位置を切り替える。第１カウントステップでは、異常検知ステップにおいて検知された異常回数をカウントするとともに、異常回数が所定回数に達した場合に、カウントされた異常回数をリセットする。ガイダンスステップでは、異常回数が所定回数に達した場合に、異常の除去を促すガイダンスを行う。設定ステップでは、閾値を設定する。
【００２５】
この方法によれば、請求項２の装置と同様の効果が得られる。
【発明の効果】
【００２６】
本発明によれば、異常が所定回数検知された場合は、異常の除去を促すガイダンスが行われるが、予め設定手段において、例えば、正常読取回数を小さめに設定しておくと、ある程度の回数正常の読み取りが連続して行われれば、異常回数がリセットされるので、数百枚、数千枚もの多枚数の原稿の読み取りを行うような場合に、異常の除去のガイダンスがされにくくなる。
【００２７】
このように、ユーザーは、希望に応じた設定を行って、異常の除去のガイダンスに優先させて原稿の読み取りを行わせたり、異常の除去のガイダンスを優先して行わせたりすることができる。
【発明を実施するための最良の形態】
【００２８】
＜画像形成装置の構成＞
図１及び図２に、本発明の一実施形態が採用された画像形成装置１を示す。また、図３及び図４に、画像形成装置１の要部を示す。なお、図３において、一点鎖線は、後述するスキャナ部１３の光路を示す。また、ｎ，Ｎ，ｋ，Ｋ，ｐ，Ｐの符号は、図４乃至図７中の符号に対応する。
【００２９】
この画像形成装置１は、複写機、プリンタ、ファクシミリ装置、スキャナ装置としての機能を併有する複合機であり、原稿読取部３（原稿読取装置）と、画像形成部５（画像形成手段）と、他の入出力部とを備えている。
【００３０】
原稿読取部３は、原稿台１１と、ＡＤＦ１２と、スキャナ部１３（原稿読取手段１３ａ、異常検知手段１３ｂ）と、制御部１５（読取位置切替手段１５ａ、第１カウント手段１５ｂ、第２カウント手段１５ｃ）と、操作パネル１７（ガイダンス手段１７ａ、設定手段１７ｂ）とを備えている。
【００３１】
原稿台１１は、画像形成装置１の上面部分に形成されたものであり、ＡＤＦ１２によって搬送される原稿が読み取られるコンタクトガラス１１ａと、ＡＤＦ１２の原稿押さえ１２ｂによって押さえられた原稿が読み取られるプラテンガラス１１ｂとを有している。コンタクトガラス１１ａは、副走査方向に所定の幅を有しており、複数の読取位置が副走査方向に並んで配置されている。
【００３２】
ＡＤＦ１２は、原稿台１１に対向して開閉自在に装着されており、原稿載置トレイ１２２ａにセットされた原稿を１枚ずつコンタクトガラス１１ａ上に搬送したり、原稿押さえ１２ｂにより原稿をプラテンガラス１１ｂに対し押さえることができる。
【００３３】
スキャナ部１３は、コンタクトガラス１１ａ及びプラテンガラス１１ｂ上の原稿を読み取るためのものであり、ＣＣＤ及び光学系等で構成されている。スキャナ部１３は、副走査方向に駆動可能であり、コンタクトガラス１１ａ上の原稿の読取時には、いずれかの読取位置で停止した状態で副走査方向に走査を行うとともに、プラテンガラス１１ｂ上の原稿の読取時には、副走査方向に駆動されながら副走査方向の走査を行う。スキャナ部１３は、コンタクトガラス１１ａ上の原稿の読取時には、制御部からの切替信号を受けて読取位置が切り替えられる。
【００３４】
又、スキャナ部１３は、主走査方向の走査をする際に、コンタクトガラス１１ａ上のほこり、ゴミ等の異物を検知することができ、異物が検知された場合は、その異物の濃度に応じた出力信号を制御部１５に送る。なお、ここで異物の濃度は、画像形成部５において用紙上に形成されることとなる副走査方向の筋（以下、黒筋）の太さに比例する。
【００３５】
制御部１５は、スキャナ部１３、ＡＤＦ１２や、後述する画像形成部５等の入出力部の動作の制御や、読み取られた画像情報又は外部から取得した画像情報に対する画像処理等を行うためのものであり、ＣＰＵ及びメモリを含むマイクロコンピュータで構成される。メモリには、原稿読取プログラムを含む各種制御プログラムが格納されている。
【００３６】
制御部１５は、原稿読取プログラムが実行されることで、読取位置切替手段１５ａ、第１及び第２カウント手段１５ｂ，１５ｃとして機能する。
【００３７】
読取位置切替手段１５ａは、スキャナ部１３によりコンタクトガラス１１ａ上に異物が検知された場合に、初期位置から副走査方向に順に循環して、読取位置ｐを切り替える。また、読取位置切替手段は、第１カウント手段により異常回数ｎがリセットされた場合に、初期位置に切り替える。
【００３８】
第１カウント手段１５ｂは、スキャナ部１３によって異物が検知された回数を異常回数ｎとしてカウントするとともに、異常回数ｎが、操作パネル１７で設定された所定回数Ｎに達した場合に、カウントされた異常回数ｎをリセットして０に戻す。
【００３９】
第２カウント手段１５ｃは、スキャナ部１３によって正常に読取が行われた枚数を読取回数ｋとしてカウントするとともに、読取回数ｋが、操作パネル１７で設定された正常読取回数Ｋに達した場合に、カウントされた読取回数ｋをリセットして０に戻す。
【００４０】
なお、メモリには、第１及び第２カウント手段によりカウントされた読取回数ｋ及び異常回数ｎが加減可能に記憶されるとともに、正常読取回数Ｋ及び閾値や、所定回数Ｎが記憶される。
【００４１】
操作パネル１７は、複数の操作キー１７ｃと、タッチパネル式の液晶ディスプレイで構成された表示部１７ｄとを有している。表示部１７ｄには、タッチパネルに触れることで操作可能な種々の操作画面が表示され、例えば、図示しないガイダンス画面や図４に示す設定画面が表示され、それぞれガイダンス手段１７ａ、設定手段１７ｂとして機能する。
【００４２】
ガイダンス画面には、第１カウント手段によりカウントされた異常回数ｎが所定回数Ｎに達した場合に、ユーザーに対し、コンタクトガラス１１ａを清掃するよう促す所定のメッセージが示される。なお、ガイダンス画面は、例えば、多枚数の原稿の読み取りが行われている場合に、操作パネル１７において正常読取回数Ｋが変更された結果、カウント中の読取回数ｋが正常読取回数Ｋを超えることとなった場合には表示されない。
【００４３】
図４の設定画面では、正常読込回数Ｋ及び閾値を設定可能であり、所定の操作キーを操作して、インジケータ２１，２３を左右方向に移動させることができる。ここでは、ガイダンス画面を出やすくしたい場合は、正常読込回数Ｋを「多」方向にシフトさせ及び／又は閾値を「薄」方向にシフトさせ、一方、ガイダンス画面を出にくくしたい場合は、正常読込回数Ｋを「少」方向にシフトさせ及び／又は閾値を「濃」方向にシフトさせる。
【００４４】
画像形成部５は、原稿読取部３で読み取られた原稿の画像情報又は外部から取得したプリントデータやファクシミリ受信データに基づいて画像形成を行うためのものである。画像形成部５は、感光体ドラムと、その周囲に配置された帯電器、露光器、現像装置、転写装置等と、これらの下流側に配置された定着装置（いずれも図示せず）とを有している。
【００４５】
また、画像形成装置１は、他の入出力部として、図示しない給紙機構、排紙機構等をさらに備えている。
【００４６】
＜画像形成装置の動作＞
次に、図５乃至図７に基づいて、画像形成装置１の動作について説明する。
【００４７】
この画像形成装置１において、原稿読取又はコピーを行う場合は、ＡＤＦ１２において原稿載置トレイ１２ａから原稿を１枚ずつ供給させることができる。
【００４８】
この画像形成装置１では、電源が投入されると、制御部１５において、正常読取回数Ｋ、閾値及び所定回数Ｎを含む種々の初期データが取得され（Ｓ１）、正常読取回数Ｋ及び閾値については、操作パネル１７において設定が変更されたかのチェック動作が行われる（Ｓ２乃至Ｓ４）。
【００４９】
このチェック動作では、図６に示すように、まず設定変更の有無が判断され（Ｓ２）、変更があった場合において（Ｓ２のYes）、読取回数ｋが正常読取回数Ｋを超えていない場合は（Ｓ３のNo）、そのままステップＳ５に移行し、読取回数ｋが正常読取回数Ｋを超えていた場合は（Ｓ３のYes）、読取回数ｋがリセットされた後（Ｓ４）、ステップＳ５に移行する。なお、ステップＳ２において設定変更がなかった場合は、そのままステップＳ５に移行する。
【００５０】
このようなチェック動作の後、スキャナ部１３によるスキャン動作が開始され（Ｓ５）、原稿が１枚読み取られるごとに、コンタクトガラス１１ａ上の異物の有無が判断され、黒筋検知が行われる（Ｓ６）。ここで、異物が検知されなかった場合は、正常に読取が行われたとして読取回数ｋがインクリメントされ（Ｓ７）、読取回数ｋが正常読取回数Ｋに達するまでは、全ての原稿について読取が終了するまで（Ｓ８のNo→Ｓ９）、ステップＳ２乃至Ｓ７の動作が繰り返され、読取回数ｋが正常読取回数Ｋに達した場合は（Ｓ８のYes）、読取回数ｋはリセットされる（Ｓ１０）。
【００５１】
一方、ステップＳ６において、異物が検知された場合は、読取位置ｐの切替動作が行われる（Ｓ１１乃至Ｓ１３）。
【００５２】
この切替動作では、図７に示すように、読取位置ｐが最後の読取位置Ｐに達していない場合は（Ｓ１１のNo）、読取位置ｐがインクリメントされた後（Ｓ１２）、読取位置ｐが次の読取位置に切り替えられ、ステップＳ１４に移行するとともに、読取位置ｐが最後の読取位置Ｐに達した場合には、読取位置ｐはリセットされ（Ｓ１３）、初期位置に戻り、ステップＳ１４に移行する。
【００５３】
このような切替動作の後、異常回数ｎがインクリメントされ（Ｓ１４）、異常回数ｎが所定回数Ｎに達していない場合は（Ｓ１５のNo）、ステップＳ９に移行するとともに、異常回数ｎが所定回数Ｎに達した場合は、操作パネル１７にガイダンス画面が表示される（Ｓ１６）。
【００５４】
以上の画像形成装置１によれば、異物が所定回数検知された場合は、コンタクトガラスの清掃を促すガイダンスが行われるが、予め操作パネルにおいて、例えば、正常読取回数Ｋを小さめに設定しておくと、ある程度の回数正常の読み取りが連続して行われれば、異常回数ｎがリセットされるので、数百枚、数千枚もの多枚数の原稿の読み取りを行うような場合に、ガイダンスがされにくくなる。
【００５５】
このように、ユーザーは、希望に応じた設定を行って、ガイダンス表示に優先させて原稿の読み取りを行わせたり、ガイダンス表示を優先して行わせたりすることができる。
【００５６】
＜他の実施形態＞
（ａ）設定手段により設定できる内容は、正常読込回数及び閾値の一方のみであっても良い。
【００５７】
（ｂ）上記実施形態において、ガイダンス表示を優先させたい場合は、ステップ３においてｋ＞Ｋと判断された場合にガイダンス画面を表示しても良い。
【００５８】
（ｃ）上記実施形態において、異常回数ｎがリセットされた場合に、読取位置は初期位置に切り替わらなくともよい。
【００５９】
（ｄ）上記実施形態において、閾値は、濃度以外のパラメータが考慮されたものであっても良い。
【００６０】
（ｅ）原稿読取装置は、画像形成機能を有しないスキャナ装置であっても良い。
【図面の簡単な説明】
【００６１】
【図１】本発明の一実施形態が採用された画像形成装置を示す斜視図。
【図２】前記画像形成装置を模式的に示す機能ブロック図。
【図３】前記画像形成装置の要部を示す縦断面図。
【図４】前記画像形成装置の操作パネルに表示される設定画面。
【図５】前記画像形成装置の動作を示すフローチャート。
【図６】前記画像形成装置の動作を示すフローチャート。
【図７】前記画像形成装置の動作を示すフローチャート。
【符号の説明】
【００６２】
１  画像形成装置
３  原稿読取部（原稿読取装置）
５  画像形成部（画像形成手段）
１３  スキャナ部
１３ａ  原稿読取手段
１３ｂ  異常検知手段
１５  制御部
１５ａ  読取位置切替手段
１５ｂ  第１カウント手段
１５ｃ  第２カウント手段
１７  操作パネル
１７ａ  ガイダンス手段
１７ｂ  設定手段
【図１】
2006311336.tif 000003
【図２】
2006311336.tif 000004
【図３】
2006311336.tif 000005
【図４】
2006311336.tif 000006
【図５】
2006311336.tif 000007
【図６】
2006311336.tif 000008
【図７】
2006311336.tif 000009